【事件の表示】
　特願２００２−　５４０２０「ネットワーク管理システム，表示方法及びネットワーク管理プログラム」拒絶査定不服審判事件〔平成１５年　９月１２日出願公開，特開２００３−２５６３０１〕について，次のとおり審決する。
【結　論】
　本件審判の請求は、成り立たない。
【理　由】
第１　手続の経緯・本願発明
　
　本願は，平成１４年２月２８日の出願であって，平成１９年７月２７日付けで拒絶査定がなされ，これに対して同年９月６日に拒絶査定不服審判が請求されるとともに，同年１０月９日付けで手続補正がなされたものであり，その請求項１に係る発明は，明細書及び図面の記載からみて，特許請求の範囲の請求項１に記載された次のとおりのもの（以下「本願発明」という。）と認める。
　
「ネットワークに接続されたネットワーク機器に関する情報を表示するネットワーク管理装置であって，
　ネットワーク機器に関する情報を取得する情報取得手段と，
　ネットワーク機器に関する情報の一覧を表示するように制御する一覧表示制御手段と，
ネットワーク機器が設置されている場所を表現する画面であるデバイスマップを表示して，ネットワーク機器を示す識別情報を前記画面に配置して表示するように制御する位置表示制御手段と，
　それぞれのネットワーク機器の識別情報が配置されるデバイスマップが存在するか否かを判定する判定手段とを備え，
　前記一覧表示制御手段は，ネットワーク機器の識別情報が配置されるデバイスマップが存在すると前記判定手段が判定した場合には，該当する画面を表示させるための関連付け情報を，ネットワーク機器に関する情報の一覧表示におけるネットワーク機器に対応する箇所に表示し，ネットワーク機器の識別情報が配置されるデバイスマップが存在しないと前記判定手段が判定した場合は，該当する画面を表示させるための関連付け情報を前記ネットワーク機器に関する情報の一覧の前記ネットワーク機器に対応する箇所において表示しないように制御することを特徴とするネットワーク管理装置。」
　
　
第２　刊行物に記載された発明 
　
　原査定の拒絶の理由に引用された，本願の出願日前に頒布された特開平１０−１７７５３３号公報（平成１０年６月３０日公開，以下「刊行物」という。）には，図面とともに以下のような記載がある。 
　
（ア）「【００２３】図１は，本発明の実施形態に係る情報入出力装置管理システムの概略構成を示すブロック図である。また，図２（ａ），（ｂ）は，本実施形態で想定しているオフィス内の物理的配置図であり，同図（ａ）はオフィスの２階（２Ｆ）を示し，同図（ｂ）はオフィスの１階（１Ｆ）を示している。 
【００２４】なお，図２（ａ），（ｂ）との対応を示す為に，図１には，オフィスの１Ｆ，２Ｆと各ブロックＡ，Ｂ，Ｃを便宜上示している。 
【００２５】図１に示すように，このオフィスの１ＦのＡブロックには，複合機１１０とパソコン（パーソナルコンピュータ）１１１とＦＡＸ送受信装置１１２が配置され，１ＦのＢブロックには，パソコン１１３とＦＡＸ送受信装置１１４が配置されている。また，２ＦのＡブロックには，パソコン１２０，複合機１２１，サーバマシン１２２，及びＦＡＸ送受信装置１２３が配置され，２ＦのＢブロックには，パソコン１２４，プリンタ１２５，及びＦＡＸ送受信装置１２６が配置されている。さらに，２ＦのＣブロックには，ＦＡＸ送受信装置１２７，スキャナ１２８，及び複合機１２９が配置されている。 
【００２６】図１中の複合機１１０，１２１，１２９は，ＬＡＮに対応し，機能としてプリンタ，スキャナ及びＦＡＸ送受信装置送受信の複数の機能を兼ね備えた画像入出力装置であり，ＬＡＮを介しての画像データの入出力が可能である。さらに，この複合機１１０，１２１，１２９は，ＬＣＤと数種のキーを備えた操作・表示部を持ち，脚部に装置移動の為の脚輪（キャスター）を備え，脚輪の回転に伴ってその移動距離を測定できる機構を兼ね備えている。 
【００２７】ＦＡＸ送受信装置１１２，１１４，１２３，１２６，１２７は，ＬＡＮに対応し，ネットワークを介して画像の入出力を行う機能を有する。プリンタ１２５は，画像データの出力を行うものであり，また，スキャナ１２８は，光学式のスキャナ装置であり画像データの入力を行うものである。 
【００２８】サーハーマシン１２２は，図１に示されている情報入出力装置の管理及びサービスを行うものであり，特に，接続されている装置の状態の管理と，装置の物理的位置情報として図２（ａ），（ｂ）に示すような配置図（マップ）を管理する機能を有している。これらの情報を装置からの要求により収集したり，装置へ問い合わせて情報を収集したりすることができ，それら収集したデータを管理して，パソコン１１１，１１３，１２０，１２４からの要求により提示するサービスを行っている。ユーザは，パソコン１１１，１１３，１２０，１２４から他の情報入出力装置を使用することができる。」（段落【００２３】〜【００２８】） 
　
（イ）「【００４６】（Ａ）サーバーでの設定 
まず，配置図（図２）の作成について説明する。ＬＡＮの適用される範囲の図面（図）が紙（特定するものではないが）に書かれている場合，複合機のスキヤナで読み込みその画像データをサーバマシン１２２に送る。また，サーバーマシン１２２上で作成してもよい。この場合，１Ｆ，２Ｆとに別れた２枚の画像データをサーバマシン１２２上に持つこととなる。サーバマシン１２２上でその画像データを大きなブロックＡ，Ｂ，Ｃに分割する。分割されたブロックＡ，Ｂ，Ｃをそれぞれ分割して座標を生成する。 
【００４７】図５に示すようなＡブロックの場合は，縦と横に５分割して，縦側をＹ０，Ｙ１，Ｙ２，Ｙ３，Ｙ５，横側をＸ０，Ｘ１，Ｘ２，Ｘ３，Ｘ４という座標を持たせる。残りのブロックも同じようにして座標を生成する。分割の方法及び分割数は，そのブロックの範囲や装置の大きさを考慮して管理者がサーバマシン１２２上のソフトウェアツールで行ってもよい。 
【００４８】この図面データと，各装置から通知または要求して得られる情報とを関連付ける為に図６に示すような情報テーブルを作成する。 
【００４９】（Ｂ）複合機での初期設定 
Ａブロックの複合機１２１（名前ＭＦＰ１）の操作パネルを用いて装置位置情報の初期設定について，図７のフローチャートと図８（ａ），（ｂ），（ｃ）のメッセージ表示画面を用いて説明する。なお，図７に示す初期設定フローチャートに対応するプログラムは，ＨＤ３０２に格納されているものとする。 
【００５０】複合機１２１は，すでにネットワーク接続されており，サーバマシン１２２へ名前の登録などは済んでいるものとする。位置情報を設定するときには，操作パネル上で図８（ａ）の画面を表示し（ステップＳ１１），位置情報（２Ｆ−Ａ）と入力すると（図８の５０１），パネル上のボタンＭＡＰ（図８の５０２）が押下可能となる。 
【００５１】そして，ボタンＭＡＰ（図８の５０２）を押下し（ステップＳ１２），サーバマシン１２２へ装置名と位置情報を送ってそのブロックの配置図（図９）を要求し，それを獲得後にメモリに記憶する（ステップＳ１３）。このように，サーバマシン１２２に予め登録されているブロック配置図を転送してもらった後，パネルに表示する（ステップＳ１４）。このとき，ブロック配置図は図９に示すように表示される。 
【００５２】複合機１２１が配置図上の５０５に配置されているとすれば，装置の物理的位置５０５をパネル上で指示し，ボタンＯＫ（図９の５０６）を押下すると（ステップＳ１５），位置指定がされたかどうか確認して（ステップＳ１６），その座標を獲得して記憶し，その情報をサーバマシン１２２に送って配置図を閉じて図８（ｂ）に示す画面を表示する（ステップＳ１９）。ボタンＣａｎｃｅｌ（図９の５０７）を押下すると図８（ａ）の画面に戻る。 
【００５３】図８（ｂ）に示す画面は，装置が移動したかどうかを判断する為の距離の情報を入力する画面である。その情報である距離初期設定値を入力し（図８（ｂ）の５０３），ＯＫボタン５０４を押下すると（ステップＳ２０）その値が正常値かどうか判断され（ステップＳ２１），入力された値がメモリに記憶される。 
【００５４】次にセンサー３１６を使用可能にするかどうかを問う画面（図８（ｃ））を表示し（ステップＳ２２），センサーを使用するか否かを判断して（ステップＳ２３），その状態もメモリに記憶する（ステップＳ２４）。その時のサーバマシン１２２側の処理としては，装置に要求されたブロックの配置図を送信し，その後に装置のブロック配置図における座標を受け取って装置の情報テーブル（図６）に登録する。」（段落【００４６】〜【００５４】） 
　
（ウ）「【００６６】次に，Ａブロックのパソコン１２０でユーザが装置を使用する場合について図１４のフローチャートを参照しつつ説明する。なお，図１４の装置選択フローチャートに対応した制御プログラムは，パソコン１２０の制御プログラムを格納するハードディスク等に格納されているものとする。 
【００６７】パソコン１２０も複合機１２１と同様にサーバマシン１２２に物理的位置情報を登録する手段を備えており，サーバマシン１２２側にすでに位置情報が登録されているものとする。 
【００６８】図１５（ａ）は，パソコン１２０上のユーティリティーソフトウェアを起動した画面で使用する装置の種別を選択する画面である。ユーティリティーソフト起動時に装置の種別を選択する。種別が選択される（ステップＳ６１）と，指定された装置の情報を収集する（ステップＳ６２）。収集した情報と，プリンタとして機能する装置の名前，状態，場所を画面上に表示して（ステップＳ６３）ユーザの選択を待つ。 
【００６９】ユーザが自動選択を選択すると（ステップＳ６４），ユーザのパソコン１２０の位置から最も近くで印刷可能な装置が選択され，その装置が反転表示される（ステップＳ６５）。さらに，ユーザが装置の一覧から目的の装置を選択すると反転表示される。 
【００７０】また，選択された装置の物理的位置を表示させる為に図１５（ｂ）に示すＭＡＰボタン７０１を押すと（ステップＳ６７），図１６に示すようなブロック配置図を表示する（ステップＳ６８）。この際に，ユーザの位置と使用選択した装置の位置とを指示する様にマーク７０２，７０３が表示される。これにより，装置の物理的位置を特定でき，ユーザは容易に出力結果を入手することが可能になる。」（段落【００６６】〜【００７０】）
　
（エ）【図２】（ａ）及び（ｂ），並びに【図５】には，複数の図柄を含む配置図が記載されており，複合機を示す符号「１１０，１２１，１２９」と関連付けられた図柄は同一の図柄（以下，「図柄Ａ」という。）であり，パソコンを示す符号「１１１，１１３，１２０，１２４」と関連付けられた図柄は図柄Ａとは異なる同一の図柄（以下，「図柄Ｂ」いう。）であり，ＦＡＸ送受信装置を示す符号「１１２，１１４，１２３，１２６，１２７」と関連付けられた図柄は図柄Ａ，Ｂとは異なる同一の図柄（以下，「図柄Ｃ」いう。）であり，サーバーマシンを示す符号「１２２」と関連付けられた図柄は図柄Ａ〜Ｃとは異なる図柄である。 
　
　
　これらの記載事項によると，刊行物には，次の発明（以下，「刊行物発明」という。）が記載されていると認められる。  
　
「複合機，ＦＡＸ送受信装置，サーバーマシンとともに情報入出力装置管理システムを構成するパソコンであって，
　複合機は，ＬＡＮに対応し，ＬＡＮを介しての画像データの入出力が可能であり，
　ＦＡＸ送受信装置は，ＬＡＮに対応し，ネットワークを介して画像の入出力を行う機能を有し，
　サーバーマシンは，装置の物理的位置情報として配置図（マップ）を管理する機能を有し，この情報をパソコンからの要求により提示するサービスを行い，
　ユーザは，パソコンから他の情報入出力装置を使用することができ，パソコンでユーザが装置を使用する場合には，パソコンのハードディスク等に格納されている制御プログラムに対応した装置選択フローチャートの処理が行われ，
　装置の種別を選択する画面で装置の種別が選択されると，指定された装置の情報を収集し，収集した情報と，装置の名前，状態，場所を画面上に表示してユーザの選択を待ち，ユーザが装置の一覧から目的の装置を選択し，選択された装置の物理的位置を表示させる為にＭＡＰボタンを押すと，ブロック配置図を表示し，この際に，選択した装置の位置を指示する様にマークが表示され，
　複数の図柄を含む配置図において，複合機を示す符号「１１０，１２１，１２９」と関連付けられた図柄は同一の図柄（以下，「図柄Ａ」という。）であり，パソコンを示す符号「１１１，１１３，１２０，１２４」と関連付けられた図柄は図柄Ａとは異なる同一の図柄（以下，「図柄Ｂ」いう。）であり，ＦＡＸ送受信装置を示す符号「１１２，１１４，１２３，１２６，１２７」と関連付けられた図柄は図柄Ａ，Ｂとは異なる同一の図柄（以下，「図柄Ｃ」いう。）であり，サーバーマシンを示す符号「１２２」と関連付けられた図柄は図柄Ａ〜Ｃとは異なる図柄である，
パソコン。」 
　
　
第３　本願発明と刊行物記載発明との対比 
　
　刊行物記載発明の「複合機」や「ＦＡＸ送受信装置」は，ＬＡＮに対応し，ネットワークを介してデータの入出力を行うから，本願発明の「ネットワークに接続されたネットワーク機器」に相当する。 
　
　刊行物記載発明の装置選択フローチャートに対応した制御プログラムは，パソコンによって実行されることが明らかであり，前記装置選択フローチャートでは，装置の種別を選択する画面で装置の種別が選択されると，指定された装置の情報を収集するから，刊行物記載発明の「パソコン」は，本願発明の「ネットワーク機器に関する情報を取得する情報取得手段」として機能するものと言える。 
　
　刊行物記載発明の装置選択フローチャートでは，収集した情報と，装置の名前，状態，場所を画面上に一覧表示してユーザの選択を待つから，刊行物記載発明の「パソコン」は，本願発明の「ネットワーク機器に関する情報の一覧を表示するように制御する一覧表示制御手段」として機能するものと言える。
　
　刊行物記載発明において表示される「ブロック配置図」は，選択された装置の物理的位置を表示するためのものであり，選択した装置の位置を指示する様にマークが表示されるものであるから，本願発明の「ネットワーク機器が設置されている場所を表現する画面であるデバイスマップ」に相当する。
　刊行物記載発明のブロック配置図に含まれ，符号と関連付けられた図柄は，対応する装置を表現したものであって，各図柄を見たユーザが，対応する装置の種類（複合機，ＦＡＸ送受信装置など）を識別できることは明らかであるから，刊行物記載発明のブロック配置図に含まれる図柄は，本願発明の「ネットワーク機器を示す識別情報」に相当する。
　そして刊行物記載発明の装置選択フローチャートでは，符号と関連付けられた図柄を含むブロック配置図を表示するから，刊行物記載発明の「パソコン」は，本願発明の「ネットワーク機器が設置されている場所を表現する画面であるデバイスマップを表示して，ネットワーク機器を示す識別情報を前記画面に配置して表示するように制御する位置表示制御手段」として機能するものと言える。
　
　刊行物記載発明の「パソコン」は，複合機やＦＡＸ送受信装置とともにネットワークに接続されていることが明らかであり，「ネットワークに接続されたネットワーク機器に関する情報を表示するネットワーク」「装置」である点において，本願発明の「ネットワークに接続されたネットワーク機器に関する情報を表示するネットワーク管理装置」と共通する。
　
　
　したがって，本願発明と刊行物発明は，以下の点において一致ないし相違する。
　
＜一致点＞ 
「ネットワークに接続されたネットワーク機器に関する情報を表示するネットワーク装置であって，
　ネットワーク機器に関する情報を取得する情報取得手段と，
　ネットワーク機器に関する情報の一覧を表示するように制御する一覧表示制御手段と，
　ネットワーク機器が設置されている場所を表現する画面であるデバイスマップを表示して，ネットワーク機器を示す識別情報を前記画面に配置して表示するように制御する位置表示制御手段と，
を備えることを特徴とするネットワーク装置。」である点。 
　
＜相違点１＞
　ネットワークに接続されたネットワーク機器に関する情報を表示するネットワーク装置について，本願発明のものは「ネットワーク管理装置」であるのに対して，刊行物記載発明のものはパソコンであって，ネットワーク管理装置ではない点。
　
＜相違点２＞ 
　本願発明では，ネットワーク装置は「それぞれのネットワーク機器の識別情報が配置されるデバイスマップが存在するか否かを判定する判定手段」を備え，「前記一覧表示制御手段は，ネットワーク機器の識別情報が配置されるデバイスマップが存在すると前記判定手段が判定した場合には，該当する画面を表示させるための関連付け情報を，ネットワーク機器に関する情報の一覧表示におけるネットワーク機器に対応する箇所に表示し，ネットワーク機器の識別情報が配置されるデバイスマップが存在しないと前記判定手段が判定した場合は，該当する画面を表示させるための関連付け情報を前記ネットワーク機器に関する情報の一覧の前記ネットワーク機器に対応する箇所において表示しないように制御する」のに対して，刊行物記載発明のパソコンは，上記「判定手段」を備えておらず，また「前記一覧表示制御手段」として「ネットワーク機器の識別情報が配置されるデバイスマップが存在すると前記判定手段が判定した場合には，該当する画面を表示させるための関連付け情報を，ネットワーク機器に関する情報の一覧表示におけるネットワーク機器に対応する箇所に表示し，ネットワーク機器の識別情報が配置されるデバイスマップが存在しないと前記判定手段が判定した場合は，該当する画面を表示させるための関連付け情報を前記ネットワーク機器に関する情報の一覧の前記ネットワーク機器に対応する箇所において表示しないように制御する」ものではない点。
　
　
第４　相違点についての当審の判断 
　
＜相違点１について＞
　本願発明の「ネットワーク管理装置」と，刊行物記載発明の「パソコン」とは，「ネットワークに接続されたネットワーク機器に関する情報を表示するネットワーク」「装置」である点においては相違しない。
　そして，刊行物記載発明では，パソコンとは別に，配置図（マップ）を管理するサーバーマシンを設けているが，当該サーバーマシンとパソコンとを統合して単一のネットワーク管理装置とすることは，当業者が容易に想到し得たことである。
　
＜相違点２について＞
　複数の項目を一覧表示する際に，それぞれの項目の関連情報が存在するか否かを判定するとともに，項目の関連情報が存在すると判定した場合には，該当する画面を表示させるための関連付け情報を，項目の一覧表示における項目に対応する箇所に表示し，項目の関連情報が存在しないと判定した場合は，該当する画面を表示させるための関連付け情報を前記項目の一覧の前記項目に対応する箇所において表示しないように制御することは，周知（特開２００１−２９７０９２号公報の段落【００２５】〜【００３１】，【図４】，【図７】には，複数のコンテンツのタイトル５２ａを並べたメモリストを表示する際に，タイトルに並べて地図表示の有無５２ｃを表示し，地図表示のボタン（位置表示ボタン）５２ｃが現れているときは，それをクリックすることにより，クリックされたコンテンツの位置情報がモニタの中心に位置するように地図を表示することが記載されている（また特開２０００−３２２４４６号公報にも同じ内容が記載されている。）。特開２００１−１８４３９７号公報の段落【００６０】及び【図１０】には，活動記録ＤＢに保存されている項目リストが，ＨＴＭＬ形式にされた「主要項目時系列リスト」において，「関連データ」の欄には，画像データが登録されていればそれを示すビデオカメラのアイコン９３ａ，９３ｂが，音声データが登録されていればそれを示すメガホンのアイコン９５ａ，９５ｂが設けられ，また，「地理情報」の欄には，地理情報（例えば住所，構造など）が登録されていればそれを示すアイコン９７ａ，９７ｂが設けられ，各アイコン９３ａ，９３ｂ，９５ａ，９５ｂ，９７ａ，９７ｂに対して，対応する画像データ，音声データ，又は地理情報をＨＴＭＬのハイパーリンクとして指定しておくことで，ユーザは，所望のアイコンを，マウスやペン等のポインティングデバイスでクリックする（或いはタッチパネル画面であれば指で触れる）ことで，所望の項目の関連データや地理情報を知ることができることが記載されている。特開平９−２９７７６４号公報の段落【０００１】〜【０００９】，【００１７】〜【００２５】，【図７】には，検索結果としての間引き画像データと，間引き画像データの元となる高精細の実画像データを呼び出すための呼出し用アイコンとを，一つの表示画面に並べて表示する装置において，検索用の間引き画像データはあるものの実画像データが存在しないものについては“否”に設定される呼出し可否フラグを記憶しておき，表示画面の元となるスクリプトを作成する際には，間引き画像データについての呼出し可否フラグを参照し，該呼出し可否フラグが“可”を示すとき，呼出しアイコンを表示させるようにすることが，記載されている。）である。 
　
　また，本願発明の「該当する画面」は，「ネットワーク機器の識別情報が配置されるデバイスマップ」を意味するものと解されるところ，刊行物記載発明では，ユーザが装置の一覧から目的の装置を選択し，ＭＡＰボタンを押すと，選択した装置の位置を指示するマークを含むブロック配置図を表示しており，該「ブロック配置図」は本願発明の「ネットワーク機器の識別情報が配置されるデバイスマップ」すなわち「該当する画面」に相当するから，刊行物記載発明の「ＭＡＰボタン」は，「該当する画面を表示させるための」「情報」である点において，本願発明の「該当する画面を表示させるための関連付け情報」と一致すると言える。
　
　そして，刊行物記載発明に周知技術を適用することにより，刊行物記載発明の「パソコン」を，「それぞれのネットワーク機器の識別情報が配置されるデバイスマップが存在するか否かを判定する判定手段」として機能させるとともに，「前記一覧表示制御手段」として，「ネットワーク機器の識別情報が配置されるデバイスマップが存在すると前記判定手段が判定した場合には，該当する画面を表示させるための関連付け情報を，ネットワーク機器に関する情報の一覧表示におけるネットワーク機器に対応する箇所に表示し，ネットワーク機器の識別情報が配置されるデバイスマップが存在しないと前記判定手段が判定した場合は，該当する画面を表示させるための関連付け情報を前記ネットワーク機器に関する情報の一覧の前記ネットワーク機器に対応する箇所において表示しないように制御する」ように機能させることは，当業者が容易になし得たことである。
　
　
　また，本願発明のように構成したことによる効果も刊行物発明及び周知技術から予測できる程度のものである。 
　
　
第５　むすび 
　
　以上のとおり，本願発明は，刊行物発明及び周知技術に基づいて当業者が容易に発明をすることができたものであるから，特許法第２９条第２項の規定により特許を受けることができない。
　
　したがって，本願は他の請求項について論及するまでもなく，拒絶すべきものである。
　
　よって，結論のとおり審決する。